(57)【要約】      （修正有）【課題】衣類などに付いた塵を除去しこれらをケース内に回収蓄積する携帯集塵ケースを提供する。【解決手段】本体ケース天蓋の誘導溝より薄いスライド板と直結したつまみを前後に操作することにより、スライド板を本体ケースの開口部より外にスライドさせ、該スライド板の先端部に設けられた傾斜パイルにより衣類等に付着した塵を絡めとり本体ケース内に運ぶ。再度スライド板を本体ケース外にスライドさせるとき、塵は本体ケース開口先端部に設けられた傾斜パイルが逆毛状になりケース内に留め置かれ一定量まで回収蓄積される。【選択図】図３
0003144147.tif 000002
【実用新案登録請求の範囲】
【請求項１】
本体ケースはその一箇所を開口部とし、該ケース開口部先端下部底面内側横手方向に帯状の傾斜パイルを毛足を該ケース内側方向に向けて設け、該ケース上面部に一定の長さの誘導溝を設けて構成されてある本体ケースとし、スライド板は、該スライド板の先端部下側に傾斜パイルを板の横手方向にその毛足を本体ケースの内側に向けて設けて形成されている。
本体ケースの誘導溝にスライド板をつまみにて保持、本体ケースと合体し集塵ケースを構成し、本体ケース上面誘導溝より突出したつまみを操作することにより、本体ケース内のスライド板の先端部を内外に移動させ、該スライド板先端部に設けられた傾斜パイルで集塵しケース内に自動的に回収蓄積することを特徴とする集塵ケースである。
【請求項２】
本体ケースの先端開口部の一部を該ケース横手方向に一定幅上げ底状に盛り上げる構造とし、該ケース上面を開閉自在の天蓋とする構成とした請求項１に記載の集塵ケース。
【考案の詳細な説明】
【技術分野】
【０００１】  この考案は、衣服やじゅうたん等についた動物の毛や糸屑等の塵を取り除き、即これらの塵をケース内に回収蓄積する集塵ケースに関するものである。
【背景技術】
【０００２】  従来、衣服やじゅうたん等についた塵を取り除くために、毛足の短い傾斜パイル（以下傾斜パイルという）を用いた洋服ブラシが提供されている。これらのブラシでは、都度集塵した塵を取り除く煩わしさがあった。  また、近年は傾斜パイルを用い塵を集める収納兼用型のブラシも提供されてきてはいる。
【考案の開示】
【考案が解決しようとする課題】
【０００３】  しかし、傾斜パイルを用いて衣服などについた塵を除去しブラシケース内に収納する方式のものでも次のような問題点があった。収納ケース自体の形状が大きく携帯できず不便であった。  本考案は、ケース本体を小型化し日常ポケットやハンドバッグ等に容易に携行でき必要なとき何時でも何所ででも利用することができる。しかも集塵回収蓄積する集塵ケースを提供することにある。
【課題を解決するための手段】
【０００４】  上記目的を達成するために、本考案の集塵ケースでは、本体ケースの一箇所を開口部とし、該ケース上面中央部に一定の長さの誘導溝を設け、該ケース内を内外に移動できるスライド板を組み込むことを特徴とする簡単な構成とした。本体ケースは該ケース開口部先端底面内側横手方向に帯状の傾斜パイルを毛足を該ケース内側方向に向けて設けてある。スライド板は、該スライド板の先端部に本体ケース開口部底面内側のパイルに摺接すべく帯状の傾斜パイルを該スライド板の横手方向に沿って設けて形成されている。本体ケースの誘導溝にスライド板をつまみ軸にて接続し本体ケースと合体して集塵ケースを構成する。本体ケース上面誘導溝より突出したつまみを操作し本体ケース内のスライド板を内外に移動させることにより、スライド板先端部に設けられた傾斜パイルで塵を絡めとりケース内にこれを回収蓄積する。
【考案の効果】
【０００５】  本体ケース内にスライド板を組み込み、つまみの操作を通してこれを内外に移動できる薄い平面型のケース構造としたため、携帯に便利でポケットやバッグに容易に収納することが可能になった。また、洋服やコート等の塵を取り除いたとき、都度ブラシ面についた塵を取り除く必要も無く、ケース内に一定量回収蓄積ことが出来、手間がかからずしかも衛生的である。
【考案を実施するための最良の形態】
【０００６】  本考案の集塵ケースは簡単かつコンパクトな構造で携帯および衛生的に取り扱いできることを目的とする。
【実施例】
【０００７】  実施例について詳細に説明する。図１から図３は本考案の集塵ケースの実施例を示す図であり、図１はその正面図、図２はその上面平面図、図３はその側断面図である。本実施例の本体ケース（１）は、その一箇所を開口部とし該ケース開口部先端下部底面横手方向に帯状の傾斜パイル（３ｂ）の毛足を内側方向に向けて設け、該ケース（１）の上面中央部に一定の長さの誘導溝（５）を設けて構成されている。
スライド板（２）は本体ケース（１）の内側より接続する誘導溝（５）に接する面の一定の位置にスライド板の接続つまみを（４）を設けており該スライド板の先端部には、本体ケース開口部先端底面部内側に設けられた傾斜パイル（３ｂ）に対応すべく帯状の傾斜パイル（３ａ）をその毛足を内側に向けて該スライド板横手方向に沿って設けられて構成されている。
集塵ケースとして機能させるためには、本体ケース（１）の誘導溝（５）にスライド板（２）を、つまみ（４）を通して接続し合体させる。  本体ケース（１）上面誘導溝（５）より突出したつまみ（４）を前後に操作すことにより本体ケース内のスライド板（２）は連動して内外に動く。スライド板先端部を本体ケース開口部より外に突出させ、該スライド板の先端部に設けられた傾斜パイル（３ａ）で塵を掻き取り本体ケース内に取り込む。スライド板（２）が本体ケース（１）に収納されているときは、双方の傾斜パイル（３ａ）、（３ｂ）はその毛足を内側に向けて摺り合わさっている。スライド板を本体ケース開口部外に移動させると（３ｂ）の毛足は（３ａ）に対して逆目となり、ケース内に戻るときは順目となる。これらの動作を繰り返すことにより傾斜パイル（３ａ）に掻き取られた塵は傾斜パイル（３ｂ）により本体ケース内に留め置かれ蓄積される。
【産業上の利用可能性】
【０００８】  洋服やじゅうたん等に付いた動物の毛や塵を除去する携帯集塵ケース。
【図面の簡単な説明】
【０００９】
【図１】本考案の実施例の正面図である。
【図２】本考案の上面平面図である。
【図３】本考案の側断面図である。
【符号の説明】
【００１０】        １本体ケース
２スライド板
３ａ，３ｂ毛足の短い傾斜パイル
４つまみ
５誘導溝
【図１】
0003144147.tif 000003
【図２】
0003144147.tif 000004
【図３】
0003144147.tif 000005
【手続補正書】
【提出日】平成20年5月19日(2008.5.19)
【手続補正１】
【補正対象書類名】実用新案登録請求の範囲
【補正対象項目名】全文
【補正方法】変更
【補正の内容】
【実用新案登録請求の範囲】
【請求項１】
本体ケースは、該ケース面の一箇所を正面開口部とし、該ケース正面開口部先端下部底面横手方向に帯状の傾斜パイルを毛足を該ケース内側方向に向けて設け、該ケース正面上面部に一定の長さの誘導溝を設けて構成されてある本体ケースとし、スライド板は、該スライド板の先端部に傾斜パイルを板の横手方向にその毛足が本体ケースの底面内側に対面するように設けて形成され、該スライド板は本体ケースの中を内外に移動させるつまみにて本体ケースの誘導溝に接続合体して構成された集塵ケース。
【請求項２】
本体ケースの上面が開閉自在の天蓋とする構成とした請求項１に記載の集塵ケース。